(57)【要約】【課題】発射された遊技球を遊技補助盤から的確に遊技盤へ導くことができる遊技機の発射補助体を提供する。【解決手段】遊技盤と遊技補助盤との境界部を覆う突出片を遊技球が通過し得る位置に配置した。【選択図】    図３
2005021212.tif 000002
【特許請求の範囲】
【請求項１】
外郭方形状の外枠と、
遊技領域が形成されかつ遊技球を前記遊技領域に案内し得る案内レールが設けれた遊技盤と、
前記外枠に対して開閉可能に支持されるとともに、前記遊技盤を収容する遊技盤収容部を有する前枠と、を含み、かつ、
前記前枠には、前記遊技盤収容部の下方に位置するとともに前記遊技盤と上下に整合し得る遊技補助盤が形成され、かつ、
前記遊技補助盤には、打球装置から発射された遊技球を前記遊技盤へ遊技球を導く発射レールが設けられた弾球遊技機の発射補助体であって、
前記遊技補助盤は、前記遊技盤の前面に向かって延出する突出片であって、前記遊技盤と前記遊技補助盤との境界部を覆う突出片を有し、かつ、
前記突出片は、前記遊技球が通過し得る位置に配置されたことを特徴とする弾球遊技機の発射補助体。
【請求項２】
前記突出片は、前記遊技盤の前面と前記遊技補助盤の前面とを前記遊技盤の前後方向に整合させ得る請求項１記載の弾球遊技機の発射補助体。
【発明の詳細な説明】
【０００１】
【発明の属する技術分野】
本発明は、発射された遊技球を的確に遊技補助盤から遊技領域へ導くことができる遊技機の発射補助体に関する。
【０００２】
【従来の技術】
一般に、パチンコ遊技機は、特許第２９７８４４０号公報に開示されているように、遊技盤を着脱可能に収容する遊技盤収容枠と、遊技盤の下端面と整合し得る遊技補助盤とが、パチンコ遊技機の前枠に設けられている。このような構成を採用する限り、遊技盤と遊技補助盤とは別体にせざるを得ない。このようなパチンコ遊技機においては、発射ハンマーによって打ち出された遊技球は、遊技補助盤から遊技盤へと導かれる。具体的には、遊技補助盤の前面には、遊技球を遊技盤へ案内するための発射レールが設けられている。また、遊技盤の前面には、外レールと内レールとが設けられている。発射ハンマーによって打ち出された遊技球は、遊技補助盤の発射レールによって案内されて遊技盤の外レールへ移動し、外レールと内レールとに導かれて遊技盤の遊技領域に至る。上述したように、遊技盤と遊技補助盤とが別体に設けられているために、遊技球が遊技補助盤から遊技盤へ導かれるときには、遊技盤と遊技補助盤との境を必ず通過せざるを得ない。
【０００３】
また、一般に、遊技補助盤に設けられている発射レールには、平レールと称されるものと、Ｍ字レールと称されるものの２種類がある。平レールと称されるものは、発射レールの始端側である発射ハンマー側の近傍の断面形状がＶ字状に形成され、終端側である遊技盤側に近づくに従って断面形状が徐々に平坦になるように形成されている。この形状の場合には、遊技球が発射レール上を移動するときに、Ｖ字状に形成された箇所では、遊技球は発射レールと２点で接触し、平坦に形成された箇所に遊技球が達したときには、遊技球は発射レールと１点で接触する。これに対して、Ｍ字レールと称されるものは、始端から終端に至るまで、断面形状がＭ字状に形成されている。この形状の場合には、遊技球が発射レール上を移動するときに、遊技球は発射レールと常に２点で接触する。
【０００４】
更に、パチンコ遊技機は、所定の角度、例えば１度程度で、パチンコ遊技機が後側に向かって傾くように設置される。このため、特に発射レールが平レールと称されるものの場合には、遊技球が平坦に形成された箇所に達したときには、遊技球は上述した発射レールと接触するだけでなく、遊技補助盤の前面や遊技盤の前面とも接触しながら移動することになる。
【０００５】
更にまた、遊技補助盤の発射レールと遊技盤の外レールとの間には、ファール球口と称される空隙が形成されている。このファール球口は、遊技球が遊技領域に到達しなかった場合に、外レールに沿って戻ってきた遊技球をファール球として収容して下皿に導くための入口である。上述したように、ファール球口は、遊技補助盤の発射レールと遊技盤の外レールとの間に形成されているため、ファール球口は、遊技補助盤と遊技盤との境に位置し、そこでは、発射レールも外レールも存在しない。このため、遊技球が遊技盤と遊技補助盤との境を通過するときには、遊技球は、遊技補助盤の前面や遊技盤の前面とのみ接触する可能性がある。この遊技補助盤の前面と遊技盤の前面とに段差があった場合には、その段差によって遊技球の移動方向が変化する可能性が生じ、遊技球を遊技補助盤から遊技盤へ的確に導くことが困難となる。このようなことから、遊技補助盤の前面と遊技盤の前面とが同一面にする必要がある。
【０００６】
【特許文献１】
特許第２９７８４４０号公報
【０００７】
【発明が解決しようとする課題】
しかしながら、当初、遊技補助盤の前面と遊技盤の前面との間に段差がなくても、経時的に段差が生ずる場合もある。具体的には、遊技盤は、ブナ材やラワン材を積層させた合板からなり、合板の表面には装飾された化粧板が貼り付けられている。一般に、合板の厚さは略１９ｍｍであり、化粧板の厚さは略０．５ｍｍである。また、化粧板は、合板よりもやや小さいものが使われている。このため、図１に示すように合板３００が経時的に反って湾曲する場合がある。また、遊技球４０が通過する個所では、遊技球４０から衝撃を受けるために、図２に示すように化粧板３１０が合板３００から剥離する場合もある。このような場合には、遊技補助盤５０の前面と遊技盤３０の前面とが実質的に同一面にならない箇所が生じる。このような箇所を遊技球４０が通過したときには、図１又は図２に示すように、発射レール６０から外レール３２に移動するときに、遊技球４０の移動に変化が生じ、遊技球４０を安定して遊技盤３０に導くことができないという不都合が生じる。
【０００８】
本発明は、上述の点に鑑みてなされたものであり、その目的とするところは、遊技球を安定して遊技補助盤から遊技盤へ導くことができる遊技機の発射補助機構を提供することにある。
【０００９】
【課題を解決するための手段】
以上のような目的を達成するために、本発明においては、遊技盤と遊技補助盤との境界部を覆う突出片を遊技球が通過し得る位置に配置したことを特徴とする。
【００１０】
より具体的には、本発明は以下のような弾球遊技機の発射補助体を提供する。
（１）  外郭方形状の外枠と、
遊技領域が形成されかつ遊技球を前記遊技領域に案内し得る案内レールが設けれた遊技盤と、
前記外枠に対して開閉可能に支持されるとともに、前記遊技盤を収容する遊技盤収容部を有する前枠と、を含み、かつ、
前記前枠には、前記遊技盤収容部の下方に位置するとともに前記遊技盤と上下に整合し得る遊技補助盤が形成され、かつ、
前記遊技補助盤には、打球装置から発射された遊技球を前記遊技盤へ遊技球を導く発射レールが設けられた弾球遊技機の発射補助体であって、
前記遊技補助盤は、前記遊技盤の前面に向かって延出する突出片であって、前記遊技盤と前記遊技補助盤との境界部を覆う突出片を有し、かつ、
前記突出片は、前記遊技球が通過し得る位置に配置されたことを特徴とする弾球遊技機の発射補助体。
【００１１】
上述した（１）の発明によれば、突出片が、遊技盤と遊技補助盤との境界部を覆うとともに、遊技球が通過し得る位置に配置されているので、遊技補助盤と遊技盤との境界に隙間が生じたような場合であっても、遊技球の移動方向を変化させ難くすることができ、遊技補助盤と遊技盤との境界の状態によることなく、遊技球を遊技補助盤から遊技盤へ的確に導くことができる。また、遊技補助盤と遊技盤との位置合せを必要としなくなるので、弾球遊技機の組立を容易にすることができる。
【００１２】
ここで、「前記遊技盤収容部の下方に位置するとともに前記遊技盤と上下に整合し得る」とは、遊技盤と別体となった遊技補助盤部が、遊技盤収容部の下方で遊技盤と上下方向に隣り合うように位置することをこと意味する。
【００１３】
（２）  前記突出片は、前記遊技盤の前面と前記遊技補助盤の前面とを前記遊技盤の前後方向に整合させ得る請求項１記載の弾球遊技機の発射補助機構。
突出片が遊技盤の前面と遊技補助盤の前面とを遊技盤の前後方向に整合させ得るので、経時的な変化によって遊技盤が反って湾曲したり、遊技球の通過による衝撃によって遊技盤の前面に貼られている化粧板が剥がれたりして、遊技補助盤の前面と遊技盤の前面とに段差が生じた場合でも、突出片が、遊技盤の前面の位置と遊技補助盤の前面の位置とを調節するので、遊技球を遊技補助盤から遊技盤へ的確に導くことができる。
【００１４】
ここで、「整合させ得る」とは、ととのい一致させること、きちんと合せることであり、遊技盤の前面の位置と遊技補助盤の前面の位置とを遊技盤の前後方向について調整して一致させ得ることを意味する。
【００１５】
上述した（１）の発明の構成に加えて、「前記突出片は、案内レールに近づく従って前記遊技盤に向かって傾斜している」という構成を加えてもよい。このような構成を加えた場合には、遊技球は、傾斜部に沿って移動するので、発射補助体から遊技盤に向かって円滑に導くことができる。
【００１６】
さらに、（１）の発明の構成に加えて、「遊技球を案内する案内部材が、発射レールの近傍でかつ前記発射レールに沿って設けられている」という構成を加えてもよい。このような構成を加えた場合には、遊技球が発射レールから離脱するような動作をしたときであっても、発射レールに沿って遊技球を移動させることができ、遊技球を遊技盤により的確に導くことができる。
【００１７】
更にまた、上述した発明の構成に加えて、「前記案内部材が、前記発射レールの上方に設けられている」という構成を加えてもよい。このような構成を加えた場合には、特に、遊技球が発射レールから上方向に離脱するような動作をした場合に発射レールに沿って遊技球を移動させることができる。
【００１８】
【発明の実施の形態】
以下に、本発明の実施例について図面に基づいて説明する。尚、以下に示す図３〜図１５において、図１及び図２に示した要素と同様のものについては同一の符号を付して示した。
【００１９】
＜＜第１の実施形態＞＞
パチンコ遊技機の一例の概略を図３に示す。尚、図３に示した例は、パチンコ遊技機１０の前面側を示す図であり、ガラス扉１６と上皿１８とを略９０度開放したときの状態を示す。
【００２０】
図３に示すように、パチンコ遊技機１０は、外枠１２と、前枠１４と、遊技盤３０と、を含む。
外枠１２は、パチンコ遊技機１０の外郭を構成し、方形状の形状を有する。尚、パチンコホールにおいては、この外枠１２を介して、パチンコ遊技機１０は、遊技島の支持部材（図示せず）に取り付けられる。
前枠１４は、外枠１２に対してその前方に向かって開閉可能に外枠１２に取り付けられている。また、前枠１４には、遊技盤３０を着脱可能に収容するための遊技盤収容枠１６が形成されている。この遊技盤収容枠１６が、「遊技盤を着脱可能に収容する遊技盤収容部」を構成する。
ガラス扉１８は、前枠１４の前面に開閉可能に取り付けられている。ガラス扉１８には、遊技盤３０を視認可能に覆うガラス（図示せず）を収容するためのガラス収容枠（図示せず）が形成されている。
【００２１】
遊技盤３０は、前面にパチンコ遊技を展開するための遊技領域が形成されている。この遊技盤３０の前面には、外レール３２や内レール３４が設けられており、外レール３２と内レール３４とによって遊技領域が画定される。この遊技領域内では、遊技球の進行方向を変化させるための障害釘や風車（図示せず）や、飾り体や入賞口等の遊技部品が、所定のゲージ設定に基づいて配設されている。遊技球が入賞した入賞口の種類に応じてパチンコ遊技は展開される。上述した外レール３２や内レール３４によって、「案内レール」が構成される。
【００２２】
前枠１４の下部でかつ遊技盤収容枠１６の下方に遊技補助盤５０が設けられている。遊技補助盤５０の上端面５２は、上述した遊技盤収容枠の下壁をなす。後述する図４に示すように上端面５２は、遊技盤３０の下端面３６と向かい合って隣接する。このような構成としたことにより、「前記前枠には、前記遊技盤収容部の下方に位置するとともに前記遊技盤と上下に整合し得る遊技補助盤部が形成され」ることをなし得る。遊技補助盤５０の左右には遊技盤３０に向かって延出する右側延出部５４と左側延出部５６とが形成されている。遊技補助盤５０の右側下部には、発射ハンマー５８が揺動可能に設けられている。前枠１４の右側下部には発射ハンドル７０が設けられており、発射ハンドル７０は、電動モータ（図示せず）に電気的に接続されている。遊技者が発射ハンドル７０を回動させたときには、その回動操作に応じて電動モータが駆動され、発射ハンマー５８が作動する。遊技補助盤５０の右側には、右下から左上に向かって発射レール６０が設けられている。後述するように、発射ハンマー５８は、発射レール６０の発射端部に導入された遊技球に撃力を与え、発射レール６０から遊技球を射出する。発射レール６０と外レール３２との間には、ファール球口６２と称される空隙が形成されている。このファール球口６２は、遊技球が遊技領域３１に到達しなかった場合に、外レールに沿って戻ってきた遊技球をファール球として収容して下皿に導くための入口である。発射レール６０と右側延出部５４との間には、略三角形の発射補助体８０が設けられている。
【００２３】
図４、図５、図６、図７及び図８に、遊技補助盤５０の右側部分と、発射レール６０と、発射補助体８０との詳細を示す。
【００２４】
図４及び図７に示すように、遊技補助盤５０に形成されている右側延出部５４には、手前方向に若干突出する突出縁６４が形成されている。図７に示すように、遊技補助盤５０の背面側の幅は、遊技盤３０の厚さに略一致する。また、遊技補助盤５０の前面側の幅は、発射レール６０の幅と外レール３２の幅に略一致する。
【００２５】
図４、図７及び図８に示すように、発射レール６０は、第１の実施形態においては、平レールと称されるものである。平レールは、発射レール６０の始端６６側である発射ハンマー側の近傍の断面形状がＶ字状に形成される、図５においては、発射レール６０のＶ字の谷底６１を実線及び破線で示した。谷底６１は、発射レール６０の長手方向に沿って発射レール６０の始端６６側から発射レール６０の途中まで形成されている。一方、発射レール６０の断面は、発射レール６０の終端６８側である遊技盤側に近づくに従って徐々に平坦になるように形成されている。後述するように、この形状の場合には、遊技球４０が発射レール６０上を移動するときに、Ｖ字状に形成された箇所では、遊技球は発射レールと２点で接触し、平坦に形成された箇所に遊技球が達したときには、遊技球は発射レールと１点で接触する。
【００２６】
図７に示す球送りカセット４２から遊技球４０は、発射レール６０上に導入される。球送りカセット４２は、遊技球を貯留する上皿（図３に示す符号１８）から発射レール６０へ遊技球を導くためのものである。発射レール６０に導入された遊技球４０は、図４に示すように発射レール６０の始端６６側に位置付けられる。発射レール６０の始端６６側から発射ハンマー５８の端部が発射レール６０に向かって突出する。上述したように、遊技者が発射ハンドル７０を回動させたときには、発射ハンマー５８が作動する。発射ハンマー５８は、一旦発射レール６０の始端６６側から離隔するように移動し、その位置から付勢されて発射レール６０の始端６６側に戻る。この発射ハンマー５８の動作によって、発射ハンマー５８は、発射レール６０の始端６６側に導入された遊技球４０に撃力を与え、発射レール６０から遊技球４０を射出する。この発射ハンマー５８によって「打球装置」が構成される
【００２７】
図６に示すように、発射補助体８０は、略鋭角三角形で、後述するように遊技補助盤５０と発射レール６０との間に適合するような形状に成形されている。発射補助体８０には、４つの貫通孔８２、８４、８６及び８８が形成されている。一方、遊技補助盤５０の前面には、これらの４つの貫通孔８２〜８８に対応する位置にネジ穴（図示せず）が形成されている。図４、図５及び図７に示すように、発射補助体８０は、発射レール６０の上面と遊技補助盤５０の突出縁６４の下側との間に適合するように遊技補助盤５０の前面にネジ止めされる。
【００２８】
図６に示すように、発射補助体８０の鋭角な頂部９０には、突出片９２が形成されている。図４及び図８に示すように、発射補助体８０が遊技補助盤５０の前面に取り付けられたときには、突出片９２は、上方に向かって、即ち遊技盤３０に向かって突出する。図４及び図８に示すように、この突出片９２によって、遊技盤３０と遊技補助盤５０との境３８が覆われる。突出片９２を設けたことにより、遊技盤３０の基板である合板が経時的に反って湾曲した場合であっても、突出片９２によって遊技盤３０を押圧することでき、遊技盤３０の前面と遊技補助盤５０の前面とを整合させることができる。更に、遊技盤３０の表面に設けられている化粧板に遊技球４０からの衝撃が与えられ続けた場合であっても、化粧板が剥離しやすくなることを防止することができる。このように、遊技盤３０を構成する合板が湾曲した場合でも、化粧板に遊技球４０からの衝撃が与えられ続けた場合であっても、遊技球を遊技補助盤５０から遊技盤３０へ的確に導くことができる。この突出片９２によって、「前記遊技盤の前面に向かって延出する突出片であって、前記遊技盤と前記遊技補助盤との境界部を覆う突出片」を構成する。さらに、突出片９２によって、「前記遊技盤の前面と前記遊技補助盤の前面とを前記遊技盤の前後方向に整合させ得る」ことをなす。
【００２９】
また、発射補助体８０の頂部９０には、先端に向かって次第に薄くなるように傾斜した傾斜部９４が設けられている。発射補助体８０が遊技補助盤５０の前面に取り付けられたときには、図４に示すように、この傾斜部９４は、ファール球口６２の右側上方まで達する。
【００３０】
発射補助体８０の斜辺部には発射レール６０に沿うように、平行案内壁９６が、発射補助体８０から手前方向に突出するように形成されている。鉛直案内壁９８が、平行案内壁９６の端辺から下方に向かって延出して形成されている。平行案内壁９６と鉛直案内壁９８との幅は、遊技球４０の直径よりもやや大きくなるように形成されている。平行案内壁９６の一の端部では、平行案内壁９６と鉛直案内壁９８とを補強するための補強壁１００が平行案内壁９６に接続して形成されている。図４、図７及び図８に示すように、発射補助体８０が遊技補助盤５０の前面に取り付けられたときには、鉛直案内壁９８は、発射レール６０に対して略垂直に配置され、平行案内壁９６は、発射レール６０に対して略平行に配置される。平行案内壁９６と鉛直案内壁９８と発射補助体８０とによって、発射レール６０の上方が発射レール６０に沿って囲まれる。
【００３１】
遊技球４０が、発射ハンマーによって動き出した直後には、図８に示すように、遊技球４０は、発射レール６０のＶ字状に形成された領域を通過する。このとき、遊技球４０は、原則として、発射レール６０と２点で接触する。また、発射ハンマー５８が遊技球４０に撃力を与える際において、発射ハンマー５８の当り具合によっては、遊技球４０が、発射レール６０から離脱するように動くような場合が想定される。このような場合であっても、上述したように、平行案内壁９６と鉛直案内壁９８と発射補助体８０とが発射レール６０を囲むような構成としたので、遊技球４０を発射レール６０に沿って案内することができ、発射レール６０の先端の傾斜部９４まで遊技球４０を的確に導くことができる。遊技球４０が、発射レール６０の傾斜部９４の近傍に達したときには、図８に示すように、遊技球４０は発射レール６０が平坦に形成された領域を通過する。上述したように、パチンコ遊技機１０が、後側に傾くように設置されているために、発射レール６０の平坦に形成された領域を通過するときには、遊技球４０は、発射レール６０と発射補助体８０との双方に接触しながら移動する。このため、発射補助体８０の傾斜部９４を通過するときには、遊技球４０は傾斜部９４に導かれて遊技盤３０に近づくように移動する。遊技球４０が発射補助体８０を通過し終わった後には、図８及び図９に示すように、遊技球４０を遊技盤３０の前面に円滑に導くことができる。この傾斜部９４が形成された突出片９２によって、「前記突出片は、遊技球が通過し得る位置に配置された」ことをなす。
【００３２】
＜＜第２の実施形態＞＞
第２の実施形態を図１１〜図１５に示す。尚、図１１〜図１５において、図３〜図１０に示した要素と同様のものについては同一の符号を付して示した。
この第２の実施形態は、図１３に示すように、発射レール１６０にＭ字レールと称されるものを用いた場合の例である。Ｍ字レールと称される発射レール１６０は、始端１６６から終端１６８に至るまで、断面形状がＭ字状に形成されている。この形状の場合には、遊技球４０が発射レール１６０上を移動するときに、遊技球４０は発射レール１６０と常に２点で接触する。発射レール１６０は、図１１〜図１３に示すように、第１の実施態様と同様に、遊技補助盤５０の前面に設けられている。
【００３３】
図１１に示すように、発射補助体１８０は、第１の実施形態のものと同様に略鋭角三角形で、遊技補助盤５０と発射レール１６０との間に適合するような形状に成形されている。発射補助体１８０には、３つの貫通孔１８２、１８４及び８６と、１つのスライド穴１８８が形成されている。一方、遊技補助盤５０の前面には、これらの貫通孔１８２〜１８６とスライド穴１８８に対応する位置にネジ穴（図示せず）が形成されている。図１１に示すように、発射補助体１８０は、発射レール１６０の上面と遊技補助盤５０の上端面５２との間に適合するように遊技補助盤５０の前面にネジ止めされる。
【００３４】
図１１に示すように、発射補助体１８０の鋭角な頂部１９０には、突出片１９２が形成されている。図１１〜図１３に示すように、発射補助体１８０が遊技補助盤５０の前面に取り付けられたときには、突出片１９２は、上方に向かって、即ち遊技盤３０に向かって突出する。このため、この第２の実施形態においても、図１１〜図１３に示すように、この突出片１９２によって、遊技盤３０と遊技補助盤５０との境３８を覆うことができる。突出片１９２を設けたことにより、遊技盤３０の基板である合板が経時的に反って湾曲した場合であっても、突出片１９２によって遊技盤３０を押圧することでき、遊技盤３０の前面と遊技補助盤５０の前面とを整合させることができる。更に、遊技盤３０の表面に設けられている化粧板に遊技球４０からの衝撃が与えられ続けた場合であっても、化粧板が剥離しやすくなることを防止することができる。このように、遊技盤３０を構成する合板が湾曲した場合でも、化粧板に遊技球４０からの衝撃が与えられ続けた場合であっても、遊技球を遊技補助盤５０から遊技盤３０へ的確に導くことができる。この突出片１９２によって、「前記遊技盤の前面に向かって延出する突出片であって、前記遊技盤と前記遊技補助盤との境界部を覆う突出片」を構成する。さらに、突出片１９２によって、「前記遊技盤の前面と前記遊技補助盤の前面とを前記遊技盤の前後方向に整合させ得る」ことをなす。
【００３５】
また、発射補助体１８０の頂部１９０には、先端に向かうに従って発射補助体１８０の厚さが薄くなるように傾斜した傾斜部１９４が設けられている。発射補助体１８０が遊技補助盤５０の前面に取り付けられたときには、図１１に示すように、この傾斜部１９４は、ファール球口６２の右側上方まで達する。
【００３６】
発射補助体１８０の斜辺部には発射レール１６０に沿うように、平行案内壁１９６が、発射補助体１８０から手前方向に突出するように形成されている。平行案内壁１９６の幅は、発射レール１６０の幅と略同じになるように形成されている。平行案内壁１９６の一の端部では、平行案内壁１９６を補強するための補強壁２００が平行案内壁１９６に接続して形成されている。図１１に示すように、発射補助体１８０が遊技補助盤５０の前面に取り付けられたときには、平行案内壁１９６は、発射レール１６０に対して平行に配置され、平行案内壁１９６によって、発射レール１６０の上方が発射レール６０に沿って覆われる。
【００３７】
一般に、パチンコ遊技店においては、遊技盤３０を交換する作業が所定の期間ごとに行われる。上述したように、突出片１９２は、遊技盤３０に向かって突出しているので、遊技盤３０を交換する作業の際に、突出片１９２が作業の邪魔になる場合がある。しかしながら、上述した貫通孔１８２〜１８６のネジを外し、スライド穴１８８のネジを緩めるだけで、発射補助体１８０の位置を遊技補助盤５０に対して変移させることができる。即ち、４つのネジの全てを外すことなく発射補助体１８０を下方に向かってずらすことができるので、遊技盤３０を交換する作業の際には、突出片１９２によって邪魔されることなく、遊技盤３０をパチンコ遊技機１０の前側から交換することができる。このような構成としたことにより、遊技盤３０の交換作業の効率を高めることができる。
【００３８】
上述したように、第２の実施形態においては、発射レール１６０にＭ字レールと称されるものを用いている。このため、遊技球４０が発射レール１６０上に存在する限り、原則として、遊技球４０は発射レール１６０と２点で接触する。また、遊技球４０への発射ハンマー５８の当り具合によって、遊技球４０が、発射レール１６０から離脱するように動いた場合であっても、平行案内壁１９６で発射レール１６０を覆うような構成としたので、遊技球４０を発射レール１６０に沿って案内することができ、発射レール１６０の先端の傾斜部１９４まで遊技球４０を的確に導くことができる。この第２の実施形態においても、パチンコ遊技機１０は、後側に傾くように設置されているために、発射補助体１８０の傾斜部１９４を通過するときには、遊技球４０は傾斜部１９４に導かれて遊技盤３０に近づくように移動する。遊技球４０が発射補助体１８０を通過し終わった後には、図１３、図１４及び図１５に示すように、遊技球４０を遊技盤３０の前面に円滑に導くことができる。この傾斜部１９４が形成された突出片１９２によって、「前記突出片は、遊技球が通過し得る位置に配置された」ことをなす。
【００３９】
【発明の効果】
本発明によれば、遊技球を遊技補助盤から遊技盤へ的確に導くことができることができる。
【図面の簡単な説明】
【図１】従来のパチンコ遊技機の発射レールとファール球口との近傍を示す拡大断面図である。
【図２】従来のパチンコ遊技機の発射レールとファール球口との近傍を示す拡大断面図である。
【図３】本発明によるパチンコ遊技機のガラス扉と上皿とを９０度開放した状態のパチンコ遊技機を示す正面図である。
【図４】本発明による第１実施形態の遊技補助盤５０の右側部分を拡大して示した部分拡大図である。
【図５】図３に示したＩ−Ｉ線に沿って部分的に破断して示した遊技盤３０の右下側の近傍の断面図である。
【図６】発射補助体８０を示す斜視図である。
【図７】図４に示したＩＩ−ＩＩ線に沿って遊技盤３０と、遊技補助盤５０と、発射補助体８０と、発射レール６０とを示す断面図である。
【図８】図４に示したＩＩＩ−ＩＩＩ線に沿って遊技盤３０と、遊技補助盤５０と、発射補助体８０と、発射レール６０とを示す断面図である。
【図９】発射補助体８０の傾斜部９４と発射レール６０の終端６８とを拡大して示した部分拡大図である。
【図１０】図９に示したＩＶ−ＩＶ線に沿って遊技盤３０と、遊技補助盤５０と、突出片９２と、発射レール６０とを示す断面図である。
【図１１】本発明の第２の実施形態による遊技補助盤５０の右側部分を拡大して示した部分拡大図である。
【図１２】図１１に示したＶ−Ｖ線に沿って遊技盤３０と、遊技補助盤５０と、発射補助体１８０と、発射レール１６０とを示した断面図である。
【図１３】図１１に示したＶＩ−ＶＩ線に沿って遊技盤３０と、遊技補助盤５０と、発射補助体１８０と、発射レール１６０とを示した断面図である。
【図１４】発射補助体１８０の傾斜部１９４と発射レール１６０の端部１６８とを拡大して示した部分拡大図である。
【図１５】図１４に示したＶＩＩ−ＶＩＩ線に沿って示した発射レール１６０の端部１６８の近傍の断面図である。
【符号の説明】
１０  パチンコ遊技機
１２  外枠
１４  前枠
１６  遊技盤収容枠（遊技盤収容部）
３０  遊技盤
３１  遊技領域
３２  外レール（案内レール）
３４  内レール（案内レール）
４０  遊技球
５０  遊技補助盤
５８  発射ハンマー（打球装置）
８０  発射補助体
６０  発射レール
６２  ファール球口
９２  突出片
７０  発射ハンドル
１６０  発射レール
１８０  発射補助体
１９２  突出片
【図１】
2005021212.tif 000003
【図２】
2005021212.tif 000004
【図３】
2005021212.tif 000005
【図４】
2005021212.tif 000006
【図５】
2005021212.tif 000007
【図６】
2005021212.tif 000008
【図７】
2005021212.tif 000009
【図８】
2005021212.tif 000010
【図９】
2005021212.tif 000011
【図１０】
2005021212.tif 000012
【図１１】
2005021212.tif 000013
【図１２】
2005021212.tif 000014
【図１３】
2005021212.tif 000015
【図１４】
2005021212.tif 000016
【図１５】
2005021212.tif 000017